(57)【要約】【課題】簡単な構造で十分な強度を有し、内容物の取出しが容易なチューブ容器とチューブ容器製造装置を提供する。【解決手段】合成樹脂製のチューブ部１２の一端部に、直接に射出成型により雄ネジ部２４と注出口２２を一体に成型して成る。チューブ部１２と雄ネジ部２４は、同種の樹脂により成型されている。チューブ部１２は、押し出し成型して所定長さに切断され、切断されたチューブ部１２の一端部に、直接に射出成型により雄ネジ部２４と注出口２２を一体成型する。チューブ部１２の側面には、印刷が施されている。【選択図】図１
0003166256.tif 000002
【実用新案登録請求の範囲】
【請求項１】
合成樹脂製のチューブ部の一端部に、直接に射出成型により雄ネジ部と注出口を有した注出部を一体に成型して成り、前記チューブ部は、その一端部を前記注出部の肩部側に倒し込むことなく円筒状態のまま前記肩部に接合されて成ることを特徴とするチューブ容器。
【請求項２】
前記チューブ部と前記注出部は、同種の樹脂により成型されている請求項１記載のチューブ容器。
【請求項３】
前記チューブ部と注出部は、ポリエチレンにＥＶＡを混ぜた樹脂により成形されている請求項２記載のチューブ容器。
【請求項４】
前記チューブ部は合成樹脂を押し出し成型して形成され、前記押し出し成型して形成された前記チューブ部が所定長さに切断されて、前記チューブ部の一端部に雄ネジ部と注出口を有した注出部が一体に射出成型により設けられ、前記チューブ部の側面には印刷が施されて成る請求項１記載のチューブ容器。
【請求項５】
合成樹脂製のチューブ部を押し出し成型する押出成型部と、前記押し出し成型部で形成した前記チューブ部を冷却する冷却水槽と、冷却した前記チューブ部を所定長さに切断する切断部と、切断された前記チューブ部の一端部に、前記チューブ部から連続する注出部の雄ネジ部と注出口を一体に射出成型により形成して直接に接合する射出成型部と、前記チューブ部の側面に印刷を施す印刷部とから成り、前記チューブ部の押出成型部から前記印刷部までの工程が一連の装置により連続して配置されていることを特徴とするチューブ容器製造装置。
【考案の詳細な説明】
【技術分野】
【０００１】
この考案は、接着剤等の粘度が高い不定形材料の内容物を収容し、側面を押してその内容物を取り出すチューブ容器とチューブ容器製造装置に関する。
【背景技術】
【０００２】
従来、粘度が高い不定形材料の内容物を収容する容器として、柔軟な側面であるチューブ部と、チューブ部の端部を閉鎖する硬い注出口が設けられたチューブ容器がある。チューブ容器の注出口は円筒形であり、外周面には雄ネジが形成され、内周面に雌ネジが形成されたキャップが螺合されている。このようなチューブ容器の製造方法には、ブロー一体成型方法、溶着方法、インサート成型方法がある。ブロー一体成型は、チューブ部と注出口を一体にブロー成型するものであり、技術的に比較的容易で安価な製造方法である。また、溶着方法は、別々に成型されたチューブ部と注出口を溶着して連結するものである。一方、インサート成型は、特許文献１に示すようにあらかじめ成型したチューブ部に、注出口を射出成型する方法である。
【先行技術文献】
【特許文献】
【０００３】
【特許文献１】特開２０００−７２１６３号公報
【考案の概要】
【考案が解決しようとする課題】
【０００４】
上記従来の技術のブロー一体成型の場合、チューブ容器の注出口は、キャップが確実に螺合されるための強度を持たせるために一定の厚さが必要であるが、この方法ではチューブ部と注出口が一体にブロー成型されるため、柔軟さが要求されるチューブ部についても比較的厚くなり、硬くて絞りにくいという問題があった。
【０００５】
一方、溶着方法の場合、あらかじめチューブ部を薄くて柔軟に成型し、このチューブ部に硬さを確保して成型された注出口を溶着するため、ソフトなタッチで絞りやすいチューブ部を設けることが可能となる。しかし、チューブ部と注出口とのつなぎ目の溶着不良等により、ここから破損して内容物が漏れる可能性がある。また、チューブ部の端縁部が注出口の周面と全面的に接着していない場合、内側のチューブ部と注出口周面との間に内容物が入り、絞り残りとなることもあった。さらに、チューブ部の表示は、片面ずつの印刷となり、チューブ部の両脇に折れ目ができるという問題がある。その他、チューブ部と注出口を別に成型し溶着するため製造工程が多く、生産性が低くなり、単価が上昇するという欠点もある。
【０００６】
特許文献１に開示されるインサート成型方法では、注出口の内周面にガス不透過性を有するバリアヘッドが設けられ、構造が複雑であった。しかも、チューブ部と注出口の材料が異なるため、つなぎ目の強度が十分に高いものではなく、チューブ部の端部を注出口の周縁部上方に巻き付くように接合され、この点でも構造が複雑でコストがかかるものであった。
【０００７】
この考案は、上記従来の技術の問題点に鑑みてなされたものであり、簡単な構造で十分な強度を有し、内容物の取出しが容易なチューブ容器とチューブ容器製造装置を提供することを目的とする。
【課題を解決するための手段】
【０００８】
この考案は、合成樹脂製のチューブ部の一端部に、直接に射出成型により雄ネジ部と注出口を有した注出部を一体に成型して成り、前記チューブ部は、その一端部を前記注出部の肩部側に倒し込むことなく円筒状態のまま前記肩部に接合されて成るチューブ容器である。
【０００９】
前記チューブ部と前記注出部は、同種の樹脂により成型されているものである。特に、前記チューブ部と注出部は、ポリエチレンにＥＶＡを混ぜた樹脂により成形されているものである。
【００１０】
前記チューブ部は合成樹脂を押し出し成型して形成され、前記押し出し成型して形成された前記チューブ部が所定長さに切断されて、前記チューブ部の一端部に雄ネジ部と注出口を有した注出部が一体に射出成型により設けられ、前記チューブ部の側面には印刷が施されて成るチューブ容器である。
【００１１】
またこの考案は、合成樹脂製のチューブ部を押し出し成型する押出成型部と、前記押し出し成型部で形成した前記チューブ部を冷却する冷却水槽と、冷却した前記チューブ部を所定長さに切断する切断部と、切断された前記チューブ部の一端部に、前記チューブ部から連続する注出部の雄ネジ部と注出口を一体に射出成型により形成して直接に接合する射出成型部と、前記チューブ部の側面に印刷を施す印刷部とから成り、前記チューブ部の押出成型部から前記印刷部までの工程が一連の装置により連続して配置されているチューブ容器製造装置である。
【００１２】
この考案のチューブ容器製造装置は、前記チューブ部の押出成型工程から前記印刷工程までを、一連の装置による連続した工程で順に処理するもので、押出成型部、冷却水槽、切断部、射出成型部、印刷部が連続する全自動化ラインから成る。
【考案の効果】
【００１３】
この考案のチューブ容器によれば、簡単な構造で安価にチューブ容器を製造可能であり、注出口はキャップの取り外しや内容物の押し出し時に必要な十分な強度を有している。また、チューブ部は柔軟であり内容物の取出しは弱い力で容易に絞り出すことができ、絞り残しも少なく、むだがないものである。
【図面の簡単な説明】
【００１４】
【図１】この考案の一実施形態のチューブ容器の正面図である。
【図２】この実施形態のチューブ容器の部分縦断面図である。
【図３】この実施形態のチューブ容器の射出成型部の金型を示す概略図である。
【図４】この実施形態のチューブ容器の製造装置による概略工程図である。
【考案を実施するための形態】
【００１５】
以下、この考案の実施形態について図面に基づいて説明する。図１、図２はこの考案の一実施形態を示すもので、この実施形態のチューブ容器１０は、適度な柔軟性を有する合成樹脂製のチューブ部１２が設けられている。チューブ部１２は、円筒状の側面１４を有し、側面１４の一端部には、側面１４の半径方向にチューブ部１２を潰してヒートシールした尾部１６が設けられている。チューブ部１２の素材は、例えばポリエチレン等であり、高い柔軟性を有している。チューブ部１２は薄く形成され、厚さは例えば０．２８ｍｍである。
【００１６】
チューブ部１２の、尾部１６と反対側の端部には、注出部１８が射出成型によりチューブ部１２と一体に設けられている。注出部１８は、チューブ部１２と同じ樹脂、例えばポリエチレンにＥＶＡを８対２の混合比で混ぜたもので成型されている。注出部１８は、側面１４の開口部を閉鎖しその中心が外側へ向かうテーパ面である肩部２０が設けられ、肩部２０の中心には、円筒状の注出口２２が、外側に突出して一体に形成されている。注出口２２の外周面には、雄ネジ部２４が一体に設けられている。
【００１７】
注出口２２には図示しないキャップが着脱可能に取り付けられ、閉鎖される。キャップは、注出口２２を覆う円筒状の側面と、注出口２２の開口を閉鎖する天面板が一体に設けられ、側面の内周面には注出口２２の雄ネジ部２４に螺合される雌ネジが一定に形成されている。
【００１８】
次に、この実施形態のチューブ容器１０の製造装置と製造方法について、図３、図４に基づいて説明する。まず、チューブ部１２の側面１４を形成する長尺のチューブを、製造ラインの押出成型機２５等から成る押出成型部２６で成型し、次に冷却水槽２８で冷却した後、切断部３０で、個々のチューブ容器１０のチューブ部１２の長さに切断する。次に、切断されたチューブ部１２を金型に取り付け、射出成型部３２で注出部１８をインサート成型する。
【００１９】
図３は射出成型部３２を示したものであり、まずチューブ部１２を、その内径と外径が同じ円柱形のコア部材３４に嵌める。コア部材３４の上端部は、円錐形の肩部３６が一体に形成され、肩部３６の中央には、円柱形で外側に突出する円柱部３８が一体に形成されている。円柱部３８の高さは、注出口２２よりも少し高い。
【００２０】
次に、チューブ部１２を取り付けたコア部材３４を、注出部１８の外側を成型する金型である包囲部４０の内側に入れる。すると、注出部１８を形成するキャビティ４２が形成される。包囲部４０の、注出口２２の外周面を形成する部分には、雄ネジ部２４を形成する雄ネジ用凹部４４が形成されている。そして、包囲部４０に設けられキャビティ４２に連通するゲート４６から、キャビティ４２に、溶融した樹脂を射出して注出部１８を成型し、チューブ部１２の一端部の端面及び内側の側面１４と注出部１８を、チューブ部１２の一端部を注出部１８の肩部２０側に倒し込むことなく円筒状態のまま物理的に接合する。なお、包囲部４０はあらかじめ二分割されたものでも良く、二分割された包囲部４０は取り付けや取り外しが容易となる。
【００２１】
次に、包囲部４０を外し、コア部材２４を抜いて、チューブ容器１０を得る。この後、チューブ容器１０の側面１４に、印刷部４８で商品名やマーク等、任意の絵柄５０を印刷する。印刷部４８では、印刷用治具を用いることにより側面１４に折れ目をつけることなく両面を印刷することができる。そして製品を詰める工程で注出部１８を所定の部材、例えばキャップで閉鎖し、側面１４の開放端、つまり注出部１８と反対側の開口部から内容物を入れ、ヒートシールで尾部１６を形成して封止する。そして箱詰機で所定の運搬用箱に入れ、出荷する。
【００２２】
この実施形態のチューブ容器１０によれば、簡単な構造で安価であり、チューブ部１２と注出部１８が同じ素材で一体にインサート成型されているため、隙間なく接合されつなぎ目の強度が高く、内容物の押し出し時に必要な強度を有している。また、チューブ部１２はあらかじめ柔軟で薄く成型されているため、ソフトなタッチで絞りやすく内容物の取出しは弱い力で容易に絞りだすことができ、絞り残しも少なく、むだがないものである。さらに、チューブ部１２を薄くすることにより、材料費が安価となる。注出部１８は厚みを有し強度を持たせて成型されているため、キャップの取り付けや取り外しを確実に行うことができる。また、チューブ容器１０は、押出成型部、冷却水槽、切断部、射出成型部、印刷部が連続する全自動化ラインで製造することができ、生産性が向上し量産化が可能であり、コストを削減することもできる。
【００２３】
なお、この考案のチューブ容器は、上記実施の形態に限定されるものではなく、各部材の形状は内容物の性状や使用目的にあわせて自由に変更可能である。チューブ容器の材料は、適度な強度と柔軟性を持つものであればよく、自由に選択可能である。チューブ容器の全自動化ラインは上記実施形態に限定されず、工程の順番を変更したり、他の工程を追加してもよい。
【符号の説明】
【００２４】
１０  チューブ容器
１２  チューブ部
１４  側面
１６  尾部
１８  注出部
２０  肩部
２２  注出口
２４  雄ネジ部
【図１】
0003166256.tif 000003
【図２】
0003166256.tif 000004
【図３】
0003166256.tif 000005
【図４】
0003166256.tif 000006